(57)【特許請求の範囲】
【請求項１】
２つの対向する側の少なくとも縁部において、一方の側では凸縁の形状をなし他方の側では溝をなす結合部品を備えている、矩形の板の形状をなす床パネルにおいて、これらの部品は、凸縁の上に一体化された突出部の形状をなす機械的ロック手段と、溝の長いアームに沿って材料を引き抜くことによって形成された溝と境を接するリップとを備え、リップの支え面は中心に向かって及び下向きに傾斜している床パネルであって、溝（５）の長いアームにおけるリップ（８）の支え面（９）が第１半径（ｒ１）を有する円弧に沿って凹状であり、第１半径（ｒ１）の交点はパネル（１）の上縁部に位置し、凸縁（６）の突出部（７）は第１半径より短い第３半径（ｒ３）を有する扇形の形状の断面を有し、リップ（８）の下部分と円形突出部（７）の側部からパネル（１）の下部分は、一方向に垂直面に対して第１鋭角（α）で傾斜した第２支え面（９’）を有することを特徴とする床パネル。
【請求項２】
第３半径（ｒ３）対第１半径（ｒ１）の比が約１：３であることを特徴とする請求項１に記載の床パネル。
【請求項３】
第１鋭角（α）がほぼ３０°であることを特徴とする請求項１に記載の床パネル。
【請求項４】
リップ（８）の近くに位置する溝の長いアームに沿った凹部の内部表面（１０）が、第１半径（ｒ１）より長い第２半径（ｒ２）を有する円弧によって凹状になっていることを特徴とする請求項１に記載の床パネル。
【請求項５】
第１半径（ｒ１）対第２半径（ｒ２）の比がほぼ１：１．５であることを特徴とする請求項４に記載の床パネル。
【請求項６】
パネルの底部から位置する少なくとも１つの縦溝（１５）を有することを特徴とする請求項１に記載の床パネル。
【請求項７】
リップ（８）の支え面（９）が、リップの上縁部の近くにおいて、垂直面に対して第２鋭角（β）で傾斜した平坦な表面の中に曲って、ノーズ（１６）を形成することを特徴とする請求項１に記載の床パネル。
【請求項８】
第２鋭角（β）がほぼ１５°であることを特徴とする請求項７に記載の床パネル。
【請求項９】
溝（５）の下部アームにおける凹部の第２内部表面（１７）が平坦で、水平面に対して第３鋭角（γ）で傾斜しており、第２内部平面（１７）は溝（５）の近くでオフセット（１８）の中に曲り、オフセット（１８）の表面は平坦で、垂直面に対して第４鋭角（δ）で傾斜していることを特徴とする請求項７に記載の床パネル。
【請求項１０】
第３鋭角（γ）がほぼ２０°であり、第４鋭角（δ）がほぼ３８°であることを特徴とする請求項９に記載の床パネル。
【請求項１１】
支え面（９）の上に、断面がトラフ（１９）のように形状化された縦凹部を備え、トラフ（１９）の表面は、円形突出部（７）の半径に等しい第３半径（ｒ３）の円弧によって凹状となっていることを特徴とする請求項１又は９に記載の床パネル。
【請求項１２】
第２内部表面（１７）が平坦で、水平面に対して第３鋭角（γ）で傾斜しており、第２内部平面（１７）は溝（５）の近くでオフセット（１８）の中に曲り、オフセット（１８）の表面は平坦で、垂直面に対して第４鋭角（δ）で傾斜していることを特徴とする請求項１１に記載の床パネル。
【請求項１３】
第３鋭角（γ）がほぼ２０°であり、第４鋭角（δ）がほぼ３８°であることを特徴とする請求項１２に記載の床パネル。
【請求項１４】
木材又は木材派生の積層状に接着された材料から作られていることを特徴とする請求項１に記載の床パネル。
【請求項１５】
短い側の一縁部において、断面が矩形に近い形状の溝を備え、溝の下部アームは三角形の凹部（１４）を備え、対向する側においては矩形に近い形状の第２凸縁（１１）を備え、第２凸縁（１１）はその下部に三角形状の第２突出部（１２）を備えることを特徴とする請求項１、又は７、又は９、又は１１に記載の床パネル。
【発明の詳細な説明】
【技術分野】
【０００１】
本発明の主題は床パネルである。
【背景技術】
【０００２】
ポーランド特許出願第３２４９２３号によって周知である床覆いは、２つの対向する側部の少なくとも縁部において互いに協働する結合部品を備えた、矩形の硬質床板材（パネル）から構成される。これらの部品は実質的に凸縁と溝の形を有し、また統合された機械的ロック手段を備え、このロック手段は、関連する縁部に垂直であり結合された床パネルの下側に平行な方向に２つの結合された床パネルが離れ離れになることを防止する。ロック要素はいくつかの形で示され、これらの共通の特色は、凸縁がその下部分において１つの凹部を備え、この凹部はその形によって溝の下部アームにおける凹部の形によく適合し、支持表面を作る接触表面は中央及び下に向かって傾斜していることである。第１形状によれば、凸縁の底表面は、底パネルの上縁部に位置する交点を有する曲率で凸状となっており、同じ曲率で溝の下部アームに形成された凹部が設けられている。凸縁の上表面と溝の上壁は平坦で水平である。凸縁は、その前部表面と溝の底部との間に空間が存在するように溝の中に置かれ、あり得る残存ダストを上縁で押し出すことができる。ロック要素の等円形の表面は組立てをより容易にし、同時に下側に平行な方向における遊びを除去する。ロック要素の別の形では、凸縁の上及び下表面とこれらに一致する溝表面が弧状に形成され、これらの弧状の半径はパネルの上縁部で係合し、有利には、下表面の半径と上表面の半径との間の差は２ｍｍに等しい。
【０００３】
ロック要素の次の形状では、溝の長い下部アームは弾性的に湾曲可能で、係合した状態では部分的に曲り、これによって発生する張力は結合されたパネルに圧力を加える。下部アームはその外縁部の近くに凹部を有し、その断面はその丸くなった頂部の上に載せた三角形の形状を有し、したがって縁部のより近くに置かれたその表面は、凸縁の突出部と接触する表面であり、中心方向と下向きに３０〜７０度の角度で傾斜している。溝の上表面は平坦で水平である。凸縁は、その前面部分に台形くさびの形状を有し、コアの近くで、その低部分に丸くなった頂点を有する三角形の形に似た突出部を有し、溝の下部アームにおける凹部の形状によく適合する。床パネルを結合した後、ロック部品はパネルが離れ離れになることを防止し、正確で隙間のない床覆いを確実にする。
【０００４】
ポーランド特許出願第３４９２７８号からは、一側面に２本の剛性アームによって形成されたキーを有するパネルが周知である。２本のアームの一方は他方より長い。長い剛性アームは台形状の凹部を有し、これはロック・ジョイントの１つの要素を形成する。反対側には、パネルは、台形突出部を備えた凸縁を有し、これはその下部に位置し、隣接するパネルの溝の長いアームにおける台形凹部の中に入り、支持表面であるこれらの接触表面は中心に向かって、また下向きに傾斜している。
【発明の開示】
【発明が解決しようとする課題】
【０００５】
周辺空気の湿度のあらゆる変化において、特に例えば木材又は木材派生の材料などの吸湿性材料で作られたパネルの場合に、この形式の解決策は有用性に欠ける。そのわけは、周囲の湿度の変化によって起こる比較的大きな材料の収縮と膨張が結果的に床の反りをひき起こす可能性があるからである。収縮と膨張の程度は、木材構造の基本的構造上の方向とその種類に依存し、この種類は、床パネルの性状がさまざまな木材の種類の層と可変方向の繊維パターンで作られたときに本質的に重要である。収縮係数又は寸法の増加は、同じ湿度変化値において木材の種類、すなわちマツ、オーク、又はブナによって異なる。
【課題を解決するための手段】
【０００６】
本発明によるパネルは、一方の側では凸縁の形状をなし他方の側では溝をなす結合部品を備えており、これらの結合部品は、凸縁において突出部の形状の機械的ロック要素と溝の長いアームにおいてリップとを備え、リップは、リップの支え面が第１半径を有する円弧に沿って凹状であって、第１半径の交点はパネルの上縁部に位置することを特徴とし、凸縁の凹部はその断面において第１半径より短い第３半径を有する扇形の形状を有し、リップの下部分と円形突出部の側部から下の部分は、約３０°であることが有利である第１鋭角で一方向に垂直面に対して傾斜した第２支え面を有する。第３半径対第１半径の比はほぼ１：３であることが有利である。リップの近くに位置する溝の長いアームにおける凹部の内部表面は、第１半径より長い第２半径を有する円弧で凹状になっていることが有利である。第１半径対第２半径の比はほぼ１：１．５であることが有利である。パネルは、パネルの底部から位置する少なくとも１つの縦溝を備えることが有利である。上述の溝は結合部の近くで生じる応力を補償し、下側の通気空間を作り出す。ある形状のパネルでは、リップの支え面は上縁部の近くで、垂直面に対して１５°であることが有利である第２鋭角で傾斜した平面の中に曲り、溝の長いアームにおける凹部から凸縁の円形突出部が滑り出ることを防止するノーズを形成する。別の形状のパネルでは、溝の下部アームにおける凹部の第２内部表面が平坦で、水平面に対して２０°であることが有利である第３鋭角で傾斜している。溝の近くで、第２内部表面はオフセットの中に曲り、オフセットの表面は平坦で、垂直面に対して約３８°であることが有利である第４鋭角で傾斜している。次の形態では、パネルは、その支え面の上に、断面がトラフ状に形成された縦凹部を備え、この表面は、凸縁の円形突出部の半径と同じ第３半径の円弧で凹状となっている。第２内部表面が平坦で、水平面に対して２０°であることが有利である第３鋭角で傾斜し、溝の近くでオフセットの中に曲り、オフセットの表面は平坦で、垂直面に対して約３８°であることが有利である第４鋭角で傾斜していることは有利である。床パネルが木材又は木材から作られて積層状に接着された材料で作られていることは有利である。上述すべての形状の床パネルが、その短い側部において断面が矩形に近い形状の溝を備え、溝の下部アーム上において三角形の凹部を片側に有し、反対側にはパネルは矩形に近い形状の第２凸縁を有し、第２凸縁はその下部に三角形のように成された突出部を備えていることは有利である。
【発明の効果】
【０００７】
本発明による解決策によって、床パネルを容易に結合及び分離することができ、床の高度の剛性を保持することができ、さらにまたこの解決策によって、木材湿分に変化が生じたときにはいつでもパネルを自由に取り換えることができ、これによって、床の反り及び結合部の破損の可能性は排除される。室内の小気候が変化したときに、床板への組み立てとして木材湿分の変化によってパネルを互いに強制的に置き換えることは、溝の長いアームにおけるリップの支え面に対する円形突出部の圧力によって安定化される。リップは、負荷をパネルの下部分における第２支え面に転送し、円形突出部の制御された動きを起こさせ、これによって、下側に平行な方向にパネルの軽い離れをひき起こす。木材湿分の低下によって、床の剛性の損失という形での悪い影響なしにパネルは初期の位置に戻る。本発明による解決策は下側空間の良好な通気を確証し、これによって、床の動作パラメータに対する空気中に含まれる湿度の不都合な影響はある程度制限される。
【０００８】
本発明による解決策は、以下の実施例と図面にさらによく説明されている。
【実施例】
【０００９】
「実施例１」
床パネル１は、木材又は木材派生の積層状に接着された材料で作られた矩形の板の形状を有し、コア２と表層３と底層４とから構成されている。パネル１の対向する側縦壁において、一方の側には、非対称台形の断面を有する形成溝５が位置し、対向する側には、下部に円形突出部７を有する非対称台形の形状の凸縁６が位置する。形成溝は、底部からパネルの縁部の外側に突き出た長いアームによって限定され、リップ８によって終っている。リップ８は溝の長いアームからの材料の引抜きによって形成され、このアームはロック連結部の一要素を作り、この要素は三角形に近い断面を有し、この２つの側表面はパネルの底層４の近くにおいて鈍角で交差する。リップ８の上に位置する凹部の側表面は支え面９である。パネルが組み立てられると、支え面９は他のパネルにおける凸縁６の円形突出部７に接触して、この動きを下側に平行な方向に制限する。支え面９は中心へ向かって下向きに傾斜し、凹状で、半径ｒ１の曲率を有し、この交点はパネルの上縁部に位置している。凹部の他の側表面、すなわち溝５とリップ８との間に位置する内部表面１０は上昇し、上部においては溝５の表面と一体化している。内部表面１０は凹状であり、第１半径ｒ１より長い第２半径ｒ２の曲率を有する。第１半径ｒ１対第２半径ｒ２の比はほぼ１：１．５である。凸縁６の円形突出部７は半径ｒ３の扇形形状を有し、第３半径ｒ３対第１半径ｒ１の比はほぼ１：３である。リップ８を有する溝５の長いアームにおける凹部と、隣接するパネルの凸縁６の円形突出部７は、結合部のロック要素であり、下側に平行な方向におけるパネルの転置を防止する。パネルの中央に近い凸縁６の円形突出部７の背後には凹部が位置し、この凹部の幅はリップ８の幅より僅かに大きく、隣接するパネルのリップ８は上述の凹部に入る。パネル１の下部前表面は、上述の凹部の側部から、及びリップ８の側部から、垂直面に対して約３０°の第１鋭角αで一方向に傾斜している。上述の表面は第２支え面９’であり、これはパネル材料が湿気を帯びたときに膨張することによって起こる圧力を移転する。パネルの寸法は、パネルを組み立てた後に乾燥状態において第２支え面９’間の隙間ｓがパネルの直線寸法の想定された増加に対応するように調和されている。上述の隙間は約０．２ｍｍ幅である。パネル１の短い横断側部には、結合部品があり、一方の側には三角形の突出部１２を有する第２凸縁１１があり、対向側には第２溝１３があり、その長いアームには鋭角を有する二等辺三角形状に形成された第２凹部１４が位置する。凸縁１１は、丸くなった隅を有する矩形状の断面を有し、溝１３は同じ形状を有する。パネル１はその底層４の中に１つ又はいくつかの縦溝１５を有する。溝１５は、結合部の近くで発生する引張り力によって生じることが可能な、パネルの中間層における繊維パターンの方向を横断する方向に向けられる過剰応力から護るが、この過剰応力は、パネルの亀裂発生及び薄片化の原因となることもある。上述の溝はまた、床下の空間を通気すること、及びこの空間から木材によって出された湿気を急速に排出することを可能にする。湿潤な空気は乾燥した空気より軽く、したがって床下の空間における空気の循環が本質的に強制��れる。
【００１０】
周辺空気の湿度の変化によって、パネルの吸湿性材料は膨張又は収縮する。木材湿分の増加中は、パネルの底層と中間層との要素が最初に湿潤になる。したがって、円形突出部７は、第３圧力Ｆ３によってリップ８の支え面９に圧力を行使し始める。リップ８は、第４圧力Ｆ４によって第２支え面９’に対して押圧され、したがって隙間ｓは閉じることになる。第２支え面９’によって行使される抵抗の結果、円形要素７は支え面９の上で変位し、この結果パネルは互いに僅かに離れる。次いで、表層における木材湿分の増加が続き、パネルの縦軸を横切る方向にその寸法の増加が続く。これは木材の膨張によって起こる力であり、第１力Ｆ１及び第２力Ｆ２は支え面９の上に円形突出部７によって行使される圧力を増加させる。木材湿分の低下によって、パネルは、床の剛性の損失という形での悪い影響を伴うことなく初期の位置に戻る。
【００１１】
「実施例２」
実施例１に似た解決策であり、上縁部近くのリップ８の支え面９は、垂直面に対して約１５°である第２鋭角βで傾斜した平面の中に曲り、追加的に結合部をロックするノーズ１６を形成し、溝の長いアームにおける凹部から凸縁の円形突出部７が滑り出ることを防止する。
【００１２】
「実施例３」
実施例２に似た解決策であり、溝５の下部アームにおける凹部の第２内部表面１７が平坦で、水平面に対して約２０°である第３鋭角γで傾斜している。内部表面１７は溝５の近くで平坦な表面の中に曲り、この平坦な表面は、垂直面に対して約３８°である第４鋭角δで傾斜している。この解決策はパネルの機械的動作を容易にする。
【００１３】
「実施例４」
実施例１に似た解決策であり、支え面９の上に、断面がトラフ１９状に形成された凹部があり、この表面は、凸縁の円形突出部７の半径と同じ第３半径ｒ３の円弧に沿って凹状となっている。溝５の下部アームにおける凹部の第２内部表面１７は平坦であり、水平面に対して約２０°である第３鋭角γで傾斜している。内部表面１７は溝５の近くでオフセット１８の中に曲り、オフセット１８の表面は平坦で、垂直面に対して約３８°である第４鋭角δで傾斜している。パネルが組み立てられると、円形突出部７はトラフ１９と当接し、結合部の剛性を増加する。
【図面の簡単な説明】
【００１４】
【図１】パネルの上面図である。
【図２】図１の平面Ａ−Ａに沿ってパネルの断面図である。
【図３】図１のＢ−Ｂに沿ったパネルの縦断面図である。
【図４】結合部品によって結合された２つのパネルの前面図である。
【図５】溝を備えたパネルの拡大部分図である。
【図６】結合された２つのパネルの拡大図である。
【図７】２つのパネルの結合を示す図である。
【図８】結合された２つのパネルの縦側を示す図である。
【図９】結合状態におけるパネルの構造形状を示す図である。
【図１０】図９に示すパネルの結合の拡大詳細図である。
【図１１】結合されたパネルの別の構造形状を示す図である。
【図１２】図１１に示すパネルの結合の拡大詳細図である。
【図１３】結合されたパネルの次の構造形状を示す図である。
【図１４】図１３に示すパネルの結合の拡大詳細図である。
【図１】
0004447468.tif 000002
【図２】
0004447468.tif 000003
【図３】
0004447468.tif 000004
【図４】
0004447468.tif 000005
【図５】
0004447468.tif 000006
【図６】
0004447468.tif 000007
【図７】
0004447468.tif 000008
【図８】
0004447468.tif 000009
【図９】
0004447468.tif 000010
【図１０】
0004447468.tif 000011
【図１１】
0004447468.tif 000012
【図１２】
0004447468.tif 000013
【図１３】
0004447468.tif 000014
【図１４】
0004447468.tif 000015